(57)【特許請求の範囲】
【請求項１】
文章及び文章の送信先である携帯端末装置のメールアドレスの入力を受け付ける入力受付手段を備えた送信元の携帯端末装置と、この文章及び文章の送信先である携帯端末装置のメールアドレスを受信する音楽データ生成サーバ装置と、前記文章の送信先である携帯端末装置とを具備してなる音楽データ生成システムにおいて、
音楽データ生成サーバ装置に、前記受信した文章の構成を解析する解析手段と、この解析手段による解析結果に基づいて文章構成要素の文字数をカウントし、そのカウント数に対応してあらかじめ用意されたメロディのテンプレートを当てはめて音楽データを生成し、文章構成要素の文字数が、そのカウント数に対応してあらかじめ用意されたメロディのテンプレートに対応しない場合には、その文字数を分解し、その分解されたカウント数に対応したテンプレートを当てはめて音楽データを生成する音楽データ生成手段と、この生成された音楽データを前記送信先の携帯端末装置で出力可能なファイル形式に変換するメディアデータ生成手段と、このメディアデータ生成手段によって生成された音楽データを送信元の携帯端末装置に送信し、当該音楽データに基づく音楽の試聴の結果、この生成された音楽で良い旨の指示入力がなされた場合に、前記送信先となる携帯端末装置のメールアドレスに当該音楽データを送信する送信手段とを設け、
前記送信先の携帯端末装置に、この音楽データに基づく音楽を出力する出力手段を設けるようにしたことを特徴とする音楽データ生成システム。
【請求項２】
前記メディアデータ生成手段が、前記送信先となる携帯端末装置からメールを受信することによって音楽データを当該送信先の携帯端末装置で出力できるフォーマットに変換するものである請求項１に記載の音楽データ生成システム。
【請求項３】
携帯端末装置で受け付けた文章に基づいて音楽データを生成する音楽データ生成サーバ装置であって、携帯端末装置側で入力された文章及びこの文章の送信先である携帯端末装置のメールアドレスを受信する受信手段と、この受信した文章の構成を解析する解析手段と、この解析手段による解析結果に基づいて文章構成要素の文字数をカウントし、そのカウント数に対応してあらかじめ用意されたメロディのテンプレートを当てはめて音楽データを生成し、文章構成要素の文字数が、そのカウント数に対応してあらかじめ用意されたメロディのテンプレートに対応しない場合に、その文字数を分解し、その分解されたカウント数に対応したテンプレートを当てはめて音楽データを生成する音楽データ生成手段と、この生成された音楽データを前記送信先の携帯端末装置で出力可能なファイル形式に変換するメディアデータ生成手段と、このメディアデータ生成手段によって生成された音楽データを送信元の携帯端末装置に送信し、当該音楽データに基づく音楽の試聴の結果、この生成された音楽で良い旨の指示入力がなされた場合に、前記送信先となる携帯端末装置のメールアドレスに当該音楽データを送信する送信手段と、を具備してなることを特徴とする音楽データ生成サーバ装置。
【請求項４】
前記メディアデータ生成手段が、前記送信先となる携帯端末装置からメールを受信することによって音楽データを当該送信先の携帯端末装置で出力できるフォーマットに変換するものである請求項３に記載の音楽データ生成サーバ装置。
【発明の詳細な説明】
【発明の属する技術分野】
本発明は、例えば、テキストから音楽を生成するシステムに関するものであり、より具体的には、端末装置を用いて簡単に自作の音楽を生成できるようにしたシステムに関するものである。
【０００１】
【従来の技術】
現在、グリーティングカードなどのようにアニメーション画像や音楽などにメッセージを付加してメール送信できるようにしたサービスが提供されている。このシステムは、あらかじめサーバ装置側に複数のグリーティングカードを登録しておき、この中からユーザに所望のものを選択させてメッセージを付加できるようにしたものが一般的である。
【０００２】
【発明が解決しようとする課題】
ところが、このようなシステムは、サーバ装置側に登録されている数限られたカードの中から画像や音楽などを選択して使用するものであるため、その送信するカードにユーザのオリジナリティを出すことはできない。また、ユーザが独自に音楽を作成し、その作成した音楽にメッセージを添えて送信できるようにすることも可能である。しかし、このように音楽を自作するには、音楽的な専門知識が必要となり、これに加えて、例えば、その音楽情報を入力するための装置が携帯電話やパーソナルコンピュータなどのようなものである場合は、その入力に多大な時間を要することになる。
【０００３】
一方、ユーザが簡単にオリジナルの音楽を作成できるようにしたものとして、携帯電話からテキストの入力を許容し、このテキストから音楽を生成できるようにしたサービスも現在提供されている。
【０００４】
このシステムは、名前や好きな言葉から音楽を生成するもので、明確なイメージを持つ日本語の単語数千個について、それらに含まれる音節の拍および音節の繋がり（わたり音）がどのように使われているのかを集計し、これら音節と言葉の意味との間の密接な関係に基づいて音楽を生成するようにしたものである。例えば、「ご、が、ぎ、ぎゅ、こ、ち、か、きょ、ちゃ、ぱ、ちぇ、き、ば」などのように硬いイメージを有し、また、「ふ、ぬ、ね、じゅ、ちゅ、にゃ、にゅ、にょ、わ、ぐ」などのような語は柔らかいイメージを持つ。また、音節毎に見ると、「き」という音節では、「明確、活発、明るい、抵抗感、派手、狭い」といったイメージを伝えるのに適し、また、「ほ」という音節では、「快い、穏やか、安心、優れる、淡い、嬉しい、細い」といったイメージを伝えるのに適している。そして、このような各音節とわたり音が持っているイメージの特性を捉え、そのイメージに合わせた音楽を生成するようにしたものである。
【０００５】
しかし、このようなシステムでは、名前や好きな言葉などのいわゆる短い「単語」から音楽を生成するものであるため、ユーザが同じような単語を選択する可能性も高く、また、生成する音楽に変化を持たせるための情報も少ないため、音楽が共通する可能性が高い。従って、このような方法によってもユーザのオリジナリティを追求することは完全でない。
【０００６】
そこで、本発明は上記課題に着目してなされたもので、オリジナリティの幅を広げてユーザ独自の音楽を生成できるようにしたシステムを提供することを目的とする。
【０００７】
【課題を解決するための手段】
すなわち、本発明は上記課題を解決すべく、文章及び文章の送信先である携帯端末装置のメールアドレスの入力を受け付ける入力受付手段を備えた送信元の携帯端末装置と、この文章及び文章の送信先である携帯端末装置のメールアドレスを受信する音楽データ生成サーバ装置と、前記文章の送信先である携帯端末装置とを具備してなる音楽データ生成システムにおいて、音楽データ生成サーバ装置に、前記受信した文章の構成を解析する解析手段と、この解析手段による解析結果に基づいて文章構成要素の文字数をカウントし、そのカウント数に対応してあらかじめ用意されたメロディのテンプレートを当てはめて音楽データを生成し、文章構成要素の文字数が、そのカウント数に対応してあらかじめ用意されたメロディのテンプレートに対応しない場合には、その文字数を分解し、その分解されたカウント数に対応したテンプレートを当てはめて音楽データを生成する音楽データ生成手段と、この生成された音楽データを前記送信先の携帯端末装置で出力可能なファイル形式に変換するメディアデータ生成手段と、このメディアデータ生成手段によって生成された音楽データを送信元の携帯端末装置に送信し、当該音楽データに基づく音楽の試聴の結果、この生成された音楽で良い旨の指示入力がなされた場合に、前記送信先となる携帯端末装置のメールアドレスに当該音楽データを送信する送信手段とを設け、前記送信先の携帯端末装置に、この音楽データに基づく音楽を出力する出力手段を設けるようにしたものである。
【０００８】
また、このような発明においてメディアデータ生成手段は、メディアデータを生成する際、前記送信先となる携帯端末装置からメールを受信することによって音楽データを当該送信先の携帯端末装置で出力できるフォーマットに変換する。
【０００９】
【発明の実施の形態】
以下、本発明の一実施の形態について図面を参照して説明する。本実施の形態においては、端末装置として携帯電話などの携帯情報端末１、３を用い、また、サーバ装置として音楽データ生成サーバ装置２を用いる。そして、音楽データを生成するに際しては、携帯情報端末１で相手方に送信すべきメッセージの文章の入力を受け付け、ネットワーク４を介して、これを音楽データ生成サーバ装置２に送信する。そして、この文章および相手方の電子メールアドレスを受信した音楽データ生成サーバ装置２側では、そのメッセージを形態素解析し、これに基づいてメロディおよびコードからなる音楽データを生成して、この音楽データとメッセージに関するデータとを相手先の電子メールアドレス宛に送信する。そして、これを受信した携帯情報端末３では、その音楽とメッセージとを同期させて出力するように構成したものである。以下、本実施の形態について詳細に説明する。
【００１０】
携帯情報端末１、３は、図２のブロック図に示すように、複数文節からなる文章のメッセージ入力を受け付ける入力受付手段１０と、インターネットなどのネットワーク４を介して音楽データ生成サーバ装置２との間でデータの送受信を行う送信手段１１および受信手段１３と、音楽データ生成サーバ装置２で生成された音楽付きのメッセージを記憶する記憶手段１２と、この記憶した音楽付きメッセージを出力する出力手段１４とを具備して成る。また、携帯情報端末１、２はこれ以外にも携帯情報端末独自の機能を果たすための各手段を有し、例えば、通常の電話機として機能するための手段なども有する。
【００１１】
メッセージの入力を受け付けるための入力受付手段１０は、携帯情報端末１、３に具備される操作キーおよび、そのメッセージの入力を許容するためのアプリケーションなどによって構成される。通常、操作キーは携帯情報端末１、３に設けられているテンキーなどによって構成されるが、音声認識技術を用いて音声からテキスト情報を作成するようにしても良い。
【００１２】
送信手段１１は、インターネットなどのネットワーク４を介して音楽データ生成サーバ装置２にメッセージを送信する。また、受信手段１３は、音楽データ生成サーバ装置２から送信されてきた音楽付きメッセージを受信する。
【００１３】
記憶手段１２は、携帯情報端末１、３を動作させるために必要となる情報を記憶するもので、携帯電話を機能させるための動作実行プログラムの他、音楽データ生成サーバ装置２から受け取った音楽データやメッセージに関するデータなどを記憶する。
【００１４】
出力手段１４は、ディスプレイなどの表示出力手段およびスピーカなどの音声出力手段を具備してなるもので、音楽データ生成サーバ装置２から送信されてきたメッセージを表示出力するとともに、また、音楽データを音声出力手段によって音声出力する。この表示出力および音声出力は互いに同期をとりながら出力するプログラムを組み込み、例えば、音楽の進行状況に合わせて表示されているメッセージの色を逐次変化させるような表示形態の変更を行う。
【００１５】
一方、音楽データ生成サーバ装置２は、受信したメッセージに基づき自動的に音楽データを生成するもので、受信手段２０、解析手段２１、意味判定手段２２、旋法・調判定手段２３、音符列生成手段２４、音楽データ生成手段２５、メディアデータ生成手段２６、送信手段２７を具備してなる。
【００１６】
受信手段２０は、ネットワーク４を介して携帯情報端末１からデータを受信するものであり、携帯情報端末１からメッセージを構成するテキストデータ、およびこのメッセージを送信する宛先である電子メールアドレスを受け取る。
【００１７】
解析手段２１は、携帯情報端末１から送信されてきたメッセージを形態素解析するものであり、例えば、図５に示すように携帯情報端末１で入力された情報が「いつもお世話になっております。」という文言を含む情報であった場合、ひらがな変換して「いつも」「おせわ」「になっております」「。」などのように分解する。なお、この形態素解析においては、ひらがな変換により分解する方法に限らず、分かち書きにより「いつも」「御世話」「になっております」「。」と分解する方法や、また、ローマ字変換により「itsumo」「osewa」「ninatteorimasu」「。」と分解する方法なども採用することもできる。
【００１８】
意味判定手段２２は、この解析手段２１によって解析された文章構成要素の中に所定の文字列が含まれるか否かを判定し、その文章が全体として明るい意味を有するか、もしくは、悲しい意味を有するかを判定する。この意味判定においては、あらかじめ、ポジティブな要素の文字列、例えば、「嬉、うれし、楽、たのし、好、明、良、軽、南、白、上」などを登録しておくとともに、また、ネガティブな要素の文字列として、例えば、「悲、かなし、嫌、暗、悪、苦、思、北、黒、下」などを登録しておく。そして、形態素解析された文章の構成要素の中にポジティブな要素の文字列やネガティブな要素の文字列がいくつ含まれているかをカウントする。
【００１９】
そして、旋法・調判定手段２３は、このポジティブな要素の文字列の数とネガティブな要素の文字列の数とを比較し、まず、長調か短調かの旋法を決定する。具体的には、ポジティブな要素の文字列が多いか、もしくは同数であった場合はその生成する音楽を長調と決定する。また、これとは逆に、ネガティブな要素の文字列の数の方が多い場合は、生成する音楽を短調と決定する。また、どの音を主音にするかの調については、簡易版ではハ音（Ｃ）を主音とするが、通常版ではC majorあるいはc minorで生成したメロディを別に定めた方法（例えば、文頭の文字のＳ−ＪＩＳコードでモード７を取るなど）で主音を決める。
【００２０】
一方、音符列生成手段２４は、形態素解析された文章構成要素の文字数をカウントし、そのカウント数に対応してあらかじめ用意されたメロディのテンプレートを当てはめて音符列を生成する。具体的には、まず、１音、２音、３音、４音、５音で構成されるC majorのテンプレートを複数種類用意する。そして、形態素解析された文字構成要素に対して、１バイトの文字を１バイトで「１」、２バイトの文字を２バイトで「２」としてカウントし、このカウント数に対応した音数の任意のテンプレートを当てはめる。なお、ここで形態素解析を行った文字構成要素のカウント数が「５」を超えた場合、これに当てはめるべきテンプレートが存在しないため、この文字構成要素のカウント数を任意のカウント数に分解してそのカウント数に対応したテンプレートを当てはめるようにする。これにより、例えば、図５に示す「になっております」というようなカウント数が「８」であった場合、合計が「８」となるように、例えば、「４」「２」「２」としてそれぞれのカウント数に対応したテンプレートを当てはめるようにする。これにより、文章の長さに対応した音符列を生成することができる。
【００２１】
そして、このように音符列生成手段で生成された音符列は、音楽データ生成手段２５によってメッセージに対応した音楽に生成される。この音楽データ生成手段２５は、図３に示すように、メロディ（主旋）データ生成手段２５０と、伴奏データ生成手段２５１、伴奏データ付加手段２５２とを具備して構成される。
【００２２】
メロディデータ生成手段２５０は、音符列生成手段２４によって生成された音符列を結合させるとともに、旋法・調判定手段２３によって判定された旋法および調にこの音符列を変換する。この音楽が長調として構成される場合は、通常C majorとして構成され、また短調として構成される場合は、そのC majorのＢ音、Ｅ音、Ｂ音を半音階下げた c minorとして構成される。そして、これらの処理が行われた後、これらのメロディが全体として音楽的になるようにその長さや繰り返し、終止形などを調整し、このデータを伴奏データ生成手段２５１に渡す。
【００２３】
伴奏データ生成手段２５１は、生成されたメロディに基づき、そのメロディ進行に適合するコードを生成する。このコード生成は、まず、与えられたメロディについて、三和音進行に従って許容される和音進行をすべて列挙する。この和音進行は、和声学上の「禁則」と呼ばれる規則群、すなわち、「こうするのがよい」「こうしなければならない」あるいは「こうやってはならない」などの規則群に従い、三和音については第一転回型、第二転回型を全て考慮し、属和音については七の和音および九の和音をその転回型まで考慮して生成する。そして、このように生成された全てのコードに対して、あらかじめ設定された評価テーブルに従ってコード進行の評価付けを行い、最も評価の高かったコードを抽出する。
【００２４】
伴奏データ付加手段２５２は、このようにして抽出されたコードをメロディに割り当てる。この割り当て作業は、メロディのテンポに合わせてコードをメロディ音符列に割り当てるなどの処理を行う。
【００２５】
そして、このように生成された音楽データは、メディアデータ生成手段２６でメッセージと統合され、送信可能なデータに変換される。なお、この生成される音楽データのファイルは、メッセージ受信側の携帯情報端末３で出力可能なファイル形式にすべく、例えば、ＳＭＡＦ  ＭＡ２や、ＣＭＩＤＩ２．０のフォーマットに変換する。また、このファイル変換作業において、受信する側の出力形式が分からない場合は、例えば、音楽データ生成サーバ装置２から受信側の携帯情報端末３側にその機種に関する問い合わせメールを送信し、この返信を受けることによってその機種に対応したフォーマットに変換するなどしても良い。
【００２６】
送信手段２７は、このように生成された音楽データおよびメッセージを、ネットワーク４を介して受信先の携帯情報端末３に送信する。
【００２７】
次に、このように構成された音楽データシステム１００のフローについて図４を用いて説明する。
【００２８】
まず、メロディ付きメッセージの送信サービスの提供を受ける場合、ユーザは所定のアプリケーションを立ち上げて図６に示すような画面を表示し、この画面に従ってメッセージ入力および、そのメッセージの送信先である携帯情報端末の電子メールアドレスの入力を行う。これを受け付けた携帯情報端末１側では（ステップＳ１）、画面に表示されたメッセージの送信キーが押下されることによって（ステップＳ２）、そのメッセージおよび相手先の電子メールアドレスに関する情報を音楽データ生成サーバ装置２に送信する（ステップＳ３）。
【００２９】
次に、この情報を受信した音楽データ生成サーバ装置２側では（ステップＳ１０）、その受信した情報の中からメッセージのテキスト情報を抽出し（ステップＳ１１）、この情報を形態素解析する（ステップＳ１２）。そして、この形態素解析の結果に基づいて、まず、その文章構成要素の中にあらかじめ登録されているポジティブな文字列とネガティブな文字列とがいくつ含まれているかをカウントする（ステップＳ１３）。そして、この文字列のカウント数に基づいてポジティブな文字列の方が多いか、もしくは同数である場合は、長調の音楽を生成する旨の出力を行う。また、逆にネガティブな文字列の方が多い場合は、短調の音楽を生成する旨の出力を行う（ステップＳ１４）。
【００３０】
そして、この旋法の判定を行ったのち、今度は形態素解析された文字構成要素の文字数のカウントを行う。この文字数のカウントは、例えば、ひらがな変換された文字構成要素の文字数をカウントする（ステップＳ１５）とともに、そのカウント数があらかじめ用意されたテンプレートの音数を超えるものである場合、その文字数をテンプレートの音数に当てはまる任意の文字数に分解する。そして、このようにカウントされた文字数に対応するテンプレートを当てはめて（ステップＳ１６）、ステップＳ１４で決定された旋法に基づいて旋法の変換処理を行う（ステップＳ１７）。なお、ステップＳ１４で決定された旋法が長調である場合は、変換処理を行わず、また、そのステップで決定された旋法が短調である場合は、C majorで構成された音符列のＢ音、Ｅ音、Ａ音を半音階さげるように処理する。また、他の調については、C majorあるいは c minorを平行移動によって移調する。そして、最後にこのように生成されたメロディを全体的に音楽的なメロディに修正すべく、その長さや繰り返しおよび終止形などの修正作業を行う（ステップＳ１８）。
【００３１】
次に、このように生成されたメロディに対してコード付けを行う。このため、メロディを伴奏データ付加手段２５１に渡し、そこでメロディに対応するコードを生成して（ステップＳ１９）、コードをメロディに付加する（ステップＳ２０）。
【００３２】
そして、最後に、この生成された音楽にメッセージを付加してメディアデータを生成するとともに、必要なフォーマット変換の処理などを行う（ステップＳ２１）。そして、この生成したメディアデータを、メッセージ作成者側から確認要求がなされることに基づいて、そのメッセージ作成者側に送信し（ステップＳ２２、ステップＳ４）、その携帯情報端末１から出力して視聴させる（ステップＳ５）。そして、視聴の結果、この生成された音楽で「良い」、もしくは、「作り直し」すべきであるとの指示がなされた場合（ステップＳ６）、この視聴の結果をメロディ生成サーバ装置２に送信し（ステップＳ７）、視聴の結果が「作り直し」すべきであるとの結果であった場合（ステップＳ２３：NG）、ステップＳ１６に戻ってメロディを生成し直す。一方、視聴の結果が「良い」との結果であった場合は（ステップＳ２３：YES）、生成したメディアデータを作成者相手先の電子メールアドレス宛に送信し（ステップＳ２４）、それを受信した携帯情報端末３側では（ステップＳ３０）、音楽データおよびメッセージに関する情報を記憶し（ステップＳ３１）、その出力指示がなされることに基づいて（ステップＳ３２）その音楽とメッセージとを同期させて出力する（ステップＳ３３）。
【００３３】
このように上記実施の形態においては、送信元の携帯端末装置側で文章及び文章の送信先である携帯端末装置のメールアドレスの入力を受け付け、この受け付けた文章の構成を音楽データ生成サーバ装置側で解析して文章構成要素の文字数をカウントし、そのカウント数に対応してあらかじめ用意されたメロディのテンプレートを当てはめて音楽データを生成し、文章構成要素の文字数が、そのカウント数に対応してあらかじめ用意されたメロディのテンプレートに対応しない場合には、その文字数を分解し、その分解されたカウント数に対応したテンプレートを当てはめて音楽データを生成し、この生成された音楽データを前記送信先の携帯端末装置で出力可能なファイル形式に変換した後、送信元の携帯端末装置に送信し、当該音楽データに基づく音楽の試聴の結果、この生成された音楽で良い旨の指示入力がなされた場合に、送信先となる携帯端末装置のメールアドレスに当該音楽データを送信するようにしたので、例えば、グリーティングカードのようにメッセージに音楽を添付して送信するような場合であっても、そのメッセージにオリジナリティを持たせることができるようになる。
【００３４】
また、メディアデータを生成する際、送信先となる携帯端末装置からメールを受信することによって音楽データを当該送信先の携帯端末装置で出力できるフォーマットに変換するようにしたので、送信先の携帯端末装置で確実にその音楽データに基づく音楽を出力することができるようになる。
【００３５】
なお、本発明は上記実施の形態に限定されることなく、種々の態様で実施することができる。
【００３６】
例えば、上記実施の形態においては、メロディおよびコードからなる音楽データを生成するようにしたが、メロディだけからなる音楽を生成するようにしても良い。
【００３７】
また、上記実施の形態においては、第三者の携帯情報端末３にメッセージおよび音楽データを送信するようにしているが、これに限らず、自分自身にその生成した音楽データを送信するようにしても良い。この場合、例えば、歌詞として文章を入力すれば、音楽データ生成サーバ装置２側でこの歌詞の長さに対応した音楽データを生成することができるため、歌詞付きの音楽を生成することができる。また、この場合も同様に音楽と文章の同期をとって出力するようにすれば、カラオケとしてその音楽を利用することができるようになる。
【００３８】
また、上記実施の形態では、視聴の結果がＮＧで合った場合、テンプレートの当てはめ作業を再度行うようにしているが、ユーザに文章の再入力を促すメッセージを行うとともに、この新たなメッセージに基づいて再度メロディ生成などを行うようにしても良い。
【００３９】
【発明の効果】
本発明では、送信元の携帯端末装置側で文章及び文章の送信先である携帯端末装置のメールアドレスの入力を受け付け、この受け付けた文章の構成を音楽データ生成サーバ装置側で解析して文章構成要素の文字数をカウントし、そのカウント数に対応してあらかじめ用意されたメロディのテンプレートを当てはめて音楽データを生成し、文章構成要素の文字数が、そのカウント数に対応してあらかじめ用意されたメロディのテンプレートに対応しない場合には、その文字数を分解し、その分解されたカウント数に対応したテンプレートを当てはめて音楽データを生成し、この生成された音楽データを前記送信先の携帯端末装置で出力可能なファイル形式に変換した後、送信元の携帯端末装置に送信し、当該音楽データに基づく音楽の試聴の結果、この生成された音楽で良い旨の指示入力がなされた場合に、送信先となる携帯端末装置のメールアドレスに当該音楽データを送信するようにしたので、独自に作成した意味ある文章からオリジナルの音楽を生成することができるようになる。
【図面の簡単な説明】
【図１】  本実施形態の音楽データ生成システムの概観図
【図２】  同形態における機能ブロック図
【図３】  同形態における音楽データ生成手段の詳細機能ブロック図
【図４】  同形態におけるシステムフローチャート
【図５】  同形態における形態素解析を示す図
【図６】  同形態における携帯情報端末の表示例
【符号の説明】
１、３・・・携帯情報端末
２・・・音楽データ生成サーバ装置
４・・・ネットワーク
１０・・・入力受付手段
１４・・・出力手段
２１・・・解析手段
２５・・・音楽データ生成手段
２５１・・・伴奏データ生成手段
２５２・・・伴奏データ付加手段
【図１】
0003694698.tif 000002
【図２】
0003694698.tif 000003
【図３】
0003694698.tif 000004
【図４】
0003694698.tif 000005
【図５】
0003694698.tif 000006
【図６】
0003694698.tif 000007